(57)【要約】【課題】例えば、基板を含んだより不都合の少ない新規な構成のライトユニットを備えた発光装置や表示装置を得る。【解決手段】実施形態の表示装置は、筐体と、ディスプレイと、バックライトユニットと、を備える。ディスプレイは、筐体に支持され表示面を有する。バックライトユニットは、筐体内でディスプレイの表示面とは反対側に位置され、基層と、基層上に互いに隙間をあけて配置された複数の導電層と、隙間を跨いで二つの導電層と電気的に接続された発光素子と、を有する。隙間は、発光素子が跨がる位置で第一の方向に延びる。複数の導電層は、発光素子と隙間との重なった領域から第一の方向に位置された導電層を含む。  【選択図】図６
2016167034.tif 000002
【特許請求の範囲】
【請求項１】
筐体と、
前記筐体に支持され表示面を有したディスプレイと、
前記筐体内で前記ディスプレイの前記表示面とは反対側に位置され、基層と、前記基層上に互いに隙間をあけて配置された複数の導電層と、前記隙間を跨いで二つの前記導電層と電気的に接続された発光素子と、を有したバックライトユニットと、
を備え、
前記隙間は、前記発光素子が跨がる位置で第一の方向に延び、
前記複数の導電層は、前記隙間のうち前記発光素子と重なった領域から前記第一の方向に位置された前記導電層を含む、表示装置。
【請求項２】
前記領域から前記第一の方向に位置された前記導電層は、前記発光素子と電気的に接続された前記二つの導電層のうちの一つである、請求項１に記載の表示装置。
【請求項３】
前記発光素子は、アノードとカソードとを有した発光ダイオードであり、
前記領域から前記第一の方向に位置された前記導電層は、前記発光素子と電気的に接続された前記二つの導電層のうち前記アノードと電気的に接続された前記導電層である、請求項１に記載の表示装置。
【請求項４】
前記発光素子から前記第一の方向と直交する第二の方向に外れた位置で前記隙間が前記第一の方向に沿って延びた第一の区間が設けられた、請求項１に記載の表示装置。
【請求項５】
前記発光素子から前記第一の方向と直交する第二の方向に外れた位置で前記隙間が前記第一の方向に沿って延びた第二の区間が設けられ、
前記第一の区間と、前記第二の区間とは、前記第二の方向に離れた、請求項４に記載の表示装置。
【請求項６】
前記発光素子から前記第一の方向と直交する第二の方向に外れた位置で前記隙間が前記第一の方向に沿って延びた第二の区間が設けられ、
前記第一の区間と、前記第二の区間は、前記第二の方向に沿っている、請求項４に記載の表示装置。
【請求項７】
前記基層は長方形状であって、
前記第一の方向は、前記基層の短辺方向と平行である、請求項１から６のいずれか１項に記載の表示装置。
【請求項８】
筐体と、
前記筐体に支持され、基層と、前記基層上に互いに隙間をあけて配置された複数の導電層と、前記隙間を跨いで二つの前記導電層と電気的に接続された発光素子と、を有したライトユニットと、
を備え、
前記隙間は、前記発光素子が跨がる位置で第一の方向に延び、
前記ライトユニットは、前記隙間のうち前記発光素子と重なった領域から前記第一の方向に位置されて前記基層の曲りを抑制するよう構成された抑制部を含む、発光装置。
【請求項９】
基層と、
前記基層上に互いに隙間をあけて配置された複数の導電層と、
前記隙間を跨いで二つの前記導電層と電気的に接続された発光素子と、を備え、
前記隙間は、前記発光素子が跨がる位置で第一の方向に延び、
前記複数の導電層は、前記発光素子と前記隙間との重なった領域から前記第一の方向に位置された前記導電層を含む、ライトユニット。
【発明の詳細な説明】
【技術分野】
【０００１】
実施形態は、表示装置、発光装置及びライトユニットに関する。
【背景技術】
【０００２】
従来、複数の発光素子が基板に設けられたバックライトユニットを備えた電子機器が知られている。
【先行技術文献】
【特許文献】
【０００３】
【特許文献１】特開２０１３−１８２０７６号公報
【発明の概要】
【発明が解決しようとする課題】
【０００４】
しかしながら、バックライトユニットに基板が用いられた場合、基板が曲がることによって不都合な事象が生じるのは好ましくない。
【０００５】
そこで、本実施形態の目的の一つは、例えば、基板を含んだより不都合の少ない新規な構成のライトユニットを備えた発光装置や表示装置を得ることである。
【課題を解決するための手段】
【０００６】
実施形態の表示装置は、筐体と、ディスプレイと、バックライトユニットと、を備える。ディスプレイは、筐体に支持され表示面を有する。バックライトユニットは、筐体内でディスプレイの表示面とは反対側に位置され、基層と、基層上に互いに隙間をあけて配置された複数の導電層と、隙間を跨いで二つの導電層と電気的に接続された発光素子と、を有する。隙間は、発光素子が跨がる位置で第一の方向に延びる。複数の導電層は、発光素子と隙間との重なった領域から第一の方向に位置された導電層を含む。
【図面の簡単な説明】
【０００７】
【図１】図１は、実施形態のバックライトユニットを備えた表示装置の例示的かつ模式的な正面図である。
【図２】図２は、実施形態の表示装置の例示的かつ模式的な右側面図である。
【図３】図３は、実施形態の表示装置の例示的かつ模式的な分解斜視図である。
【図４】図４は、実施形態のバックライトユニットの例示的かつ模式的な平面図である。
【図５】図５は、図４のＶ‐Ｖ線に沿った、バックライトユニットの例示的かつ模式的な断面図である。
【図６】図６は、実施形態のバックライトユニットの例示的かつ模式的な平面図である。
【図７】図７は、実施形態の発光素子の周辺を拡大した例示的かつ模式的な平面図である。
【図８】図８は、実施形態のバックライトユニットの回路構成を示す例示的かつ模式的な図である。
【図９】図９は、第１変形例のバックライトユニットの例示的かつ模式的な平面図である。
【図１０】図１０は、第２変形例のバックライトユニットの例示的かつ模式的な平面図である。
【図１１】図１１は、第３変形例のバックライトユニットの例示的かつ模式的な平面図である。
【図１２】図１２は、第４変形例のバックライトユニットの例示的かつ模式的な平面図である。
【図１３】図１３は、第５変形例のバックライトユニットの例示的かつ模式的な平面図である。
【図１４】図１４は、第６変形例のバックライトユニットの例示的かつ模式的な平面図である。
【図１５】図１５は、第６変形例のバックライトユニットの例示的かつ模式的な断面図である。
【発明を実施するための形態】
【０００８】
以下の例示的な実施形態や変形例には、同様の構成要素が含まれている。よって、以下では、同様の構成要素には共通の符号が付されるとともに、重複する説明が部分的に省略される。実施形態や変形例に含まれる部分は、他の実施形態や変形例の対応する部分と置き換えて構成されることができる。また、実施形態や変形例に含まれる部分の構成や位置等は、特に言及しない限りは、他の実施形態や変形例と同様である。
【０００９】
以下の実施形態及び変形例では、本発明にかかるライトユニットまたはバックライトユニットが、テレビジョン受信機等の表示装置用として構成された場合が例示されているが、本発明にかかるライトユニットまたはバックライトユニットは、これに限定されない。本発明にかかるライトユニットまたはバックライトユニットは、照明装置等に適用される発光装置に適用してもよい。
【００１０】
＜第１実施形態＞
図１は、実施形態のバックライトユニットを備える表示装置を示す例示的かつ模式的な正面図である。図２は、実施形態の表示装置の例示的かつ模式的な右側面図である。図１及び図２に示すように、正面視で左右方向は、Ｘ方向、水平方向、または、横方向とする。上下方向はＹ方向、高さ方向、または、縦方向とする。前後方向は、Ｚ方向または厚み方向とする。Ｚ方向は、ディスプレイ１６の表示面１７との直交方向とする。また、Ｘ方向、Ｙ方向、およびＺ方向は互いに直交している。
【００１１】
図１及び図２に示すように、表示装置１０は、台部１２と、筐体１４と、ディスプレイ１６とを備える。台部１２は、略平面の板状に形成され、テレビ台等に配置される。筐体１４は、脚部１８を介して、台部１２の上方に設置される。筐体１４は、前側のベゼル２０及び背側のバックカバー２２を有する。ベゼル２０とバックカバー２２の壁部によって構成された空間内に、ディスプレイ１６等の部品が収容されている。ベゼル２０は、四角形状の四辺に沿った壁部２１を有する。ベゼル２０には、開口２４が設けられている。筐体１４は、ベゼル２０の開口２４を介してディスプレイ１６の表示面１７が露出された状態で、ディスプレイ１６を覆っている。すなわち、筐体１４は、ディスプレイ１６の少なくとも側方および後方を覆っている。また、筐体１４は、ディスプレイ１６や筐体１４に収容される他の部品を支持する。ディスプレイ１６や他の部品は、例えば、ねじ等の固定具によって結合されたり、接着されたり、筐体１４を構成する複数の部材によって挟まれたりすることによって、筐体１６に固定される。また、筐体１４は、例えば、アルミニウム合金やマグネシウム合金等の金属材料またはプラスチック等の合成樹脂材料等によって構成される。
【００１２】
ディスプレイ１６は、静止画や動画等の画像を表示する表示面１７を有する。ディスプレイ１６の一例は、画素がマトリックス状に配置された液晶パネルである。ディスプレイ１６は、各画素において、背面１９から入射する光の透過と遮光とを切り替えることによって、動画及び静止画を含む画像を生成する。
【００１３】
図３は、実施形態の表示装置１０の例示的かつ模式的な分解斜視図である。図３に示すように、表示装置１０は、更に、反射層４８を含むバックライトユニット３０と、拡散層３２と、プリズム層３４と、中間フレーム３６とを備える。尚、拡散層３２、及び、プリズム層３４は、バックライトユニット３０の一部として構成してもよい。
【００１４】
バックライトユニット３０は、筐体１４内で、ディスプレイ１６の表示面１７とは反対側に位置されている。バックライトユニット３０は、中間フレーム３６とバックカバー２２との間に設けられている。バックライトユニット３０は、ライトユニットの一例である。
【００１５】
バックライトユニット３０は、ＸＹ方向に沿った２辺を有する四角形の板状に形成されている。バックライトユニット３０は、画像を生成するための光を前方に照射する。反射層４８は、バックライトユニット３０を支持可能に固い材料で構成することが好ましい。例えば、反射層４８は、硬化型のプラスチック等の合成樹脂、または、アルミニウム合金やマグネシウム合金等の金属材料によって構成してよい。反射層４８の前面は、反射率の高い光沢のある白色の樹脂、または、金属等の材料によって形成されている。反射層４８は、四辺が壁部４９に囲まれたカップ状に形成されている。壁部４９は、前方に向けて開口が広がるように構成されている。反射層４８を含むバックライトユニット３０の詳細は、後述する。
【００１６】
拡散層３２は、正面視において、バックライトユニット３０と略同形状の四角形の板状に形成されている。拡散層３２は、バックライトユニット３０の前方に設けられている。拡散層３２は、バックライトユニット３０から照射されて入射した光を内部で拡散させる。拡散層３２は、拡散した光を前方に照射する。
【００１７】
プリズム層３４は、正面視において、バックライトユニット３０と略同形状の四角形の板状に形成されている。プリズム層３４は、拡散層３２の前方に設けられている。プリズム層３４の前面または後面の少なくとも一方には、複数のプリズムが形成されている。プリズム層３４は、拡散層３２によって拡散された光が入射すると、プリズムによって更に拡散して、前方のディスプレイ１６へと照射する。
【００１８】
中間フレーム３６は、ベゼル２０と、バックカバー２２との間に配置されている。中間フレーム３６は、バックライトユニット３０、拡散層３２、及び、プリズム層３４を支持する。中間フレーム３６は、四角形状の四辺に沿った壁部３７を有する。中間フレーム３６の中央部には、開口３８が形成されている。尚、中間フレーム３６は、筐体１４の一部であってもよい。中間フレーム３６は、アルミニウム合金及びマグネシウム合金等の金属材料またはプラスチック等の合成樹脂材料等によって構成される。
【００１９】
図４は、バックライトユニット３０の例示的かつ模式的な平面図である。図５は、図４のＶ‐Ｖ線に沿った、バックライトユニット３０の例示的かつ模式的な断面図である。
【００２０】
図４及び図５に示すように、バックライトユニット３０は、基層４０と、複数の導電層４２と、発光素子４４と、レジスト層４６と、反射層４８とを有する。
【００２１】
基層４０は、バックカバー２２の前方に配置される。基層４０は、Ｙ方向を短辺とする長方形のシート状の部材である。基層４０は、可撓性かつ絶縁性を有する。例えば、基層４０は、例えば、ＰＥＮ（ポリエチレンナフタレート）を含む合成樹脂材料等によって構成される。基層４０は、前面４０ａ（面）と背面４０ｂ（面）とを有する。なお、基層４０は、基板や、フレキシブル基板とも称されうる。
【００２２】
複数の導電層４２は、基層４０の前面４０ａ上に設けられている。導電層４２は、例えば、銅等の金属材料を含む導電性の材料によって形成されている。複数の導電層４２は、互いに隙間５０をあけて配置されている。導電層４２は、物理的及び化学的蒸着法、電解または無電解めっき法等によって形成される。
【００２３】
発光素子４４は、隙間５０を跨いで二つの導電層４２と電気的に接続されている。発光素子４４の一例は、アノードとカソードとを有し、白色光を発光する半導体の発光ダイオードである。発光素子４４のアノード及びカソードは、接続部分４５を介して、導電層４２と接続されている。発光素子４４は、例えば、リフローはんだ付け等によって実装される。
【００２４】
レジスト層４６は、導電層４２の前面４２ａ（面）上を覆うように設けられている。ここで、レジスト層４６は、発光素子４４と接続される領域の導電層４２が露出するようにパターニングされている。レジスト層４６は、白色の絶縁性の合成樹脂材料を含む。レジスト層４６は、例えば、フォトリソグラフィーや、スクリーン印刷等の技術によって形成される。
【００２５】
反射層４８は、レジスト層４６の前面上を覆うように設けられている。反射層４８は、粘着材４９によって、レジスト層４６に貼り付けられている。反射層４８には、発光素子４４を露出させるための開口４８ａが形成されている。これにより、反射層４８は、バックライトユニット３０から照射された光のうち、ディスプレイ１６によって反射されて、バックライトユニット３０に戻った光をディスプレイ１６へと反射して再度戻す。反射層４８は、反射板とも称されうる。
【００２６】
図６は、バックライトユニット３０の例示的かつ模式的な平面図である。図７は、発光素子４４の周辺を拡大した例示的かつ模式的な平面図である。図６では、レジスト層４６及び反射層４８は省略されている。また、図６では、説明の便宜上、導電層４２にドットハッチングを付加している。
【００２７】
図６及び図７に示すように、複数の導電層４２は、互いに隙間５０をあけて配置されている。隙間５０は、発光素子４４が跨る位置でＹ方向に延びる。Ｙ方向は、第一の方向の一例であって、基層４０の短辺方向と平行である。隙間５０の途中部は、曲がっている。隙間５０は、Ｙ方向の両端部では、Ｙ方向から傾斜した方向に延びる。複数の導電層４２は、厚み方向（Ｚ方向）における発光素子４４と隙間５０との重なった領域５１からＹ方向に位置された導電層４３を含む。重なった領域５１は、換言すれば、発光素子４４の一対の端子と導電層４２とを接続する一対の接続部分４５の間であって、発光素子４４が隙間５０を跨いだ領域である。したがって、導電層４２は、接続部分４５の間の領域５１のＹ方向に位置された導電層４３（領域、部分）を含むともいえる。導電層４３は、発光素子４４のＹ方向に位置され、導電層４３が電気的に接続された導電層４２のうち、Ｙ方向と交差する方向（例えばＸ方向）に突出した部分であり、突出部とも称されうる。ここで、領域５１のＹ方向に位置された導電層４３は、発光素子４４と電気的に接続された二つの導電層４２のうちの一つである。導電層４３は、抑制部の一例である。なお、厚み方向とは、基層４０の前面４０ａおよび背面４０ｂと直交する方向であって、積層方向とも称されうる。
【００２８】
Ｘ方向に沿って隣接する二つの発光素子４４は、一つの導電層４２を介して、直列接続されている。発光素子４４の各列の一端は、略最短距離で設けられた接続部５４を介して、コネクタ５６に接続されている。発光素子４４の各列の他端は、基層４０の外周領域を周って設けられた接続部５８を介して、コネクタ５６に接続されている。接続部５８は、電気的に接続された複数の発光素子４４の列とＹ方向に外れて位置され、当該列に沿って、Ｙ方向と交差する方向（例えばＸ方向）に延びている。接続部５８は、配線部や、リターン配線部等とも称されうる。
【００２９】
図８は、バックライトユニット３０の回路構成を示す例示的かつ模式的な図である。図８に示すように、直列接続された複数の発光素子４４の各列の一端は、オンとオフとで切り替え可能な素子６０と接続されている。複数の発光素子４４の各列の他端は、電源６２に接続されている。発光素子４４の各列の素子６０は、別個に、ＣＰＵ６４及び信号供給部６６に接続されている。これにより、発光素子４４の各列は、ＣＰＵ６４により、別個に、発光状態が複数段階に切り替えられる。
【００３０】
上述の表示装置１０では、バックライトユニット３０の直列接続された複数の発光素子４４の列のいずれかが光を照射すると、光は前方に配置されたディスプレイ１６に入射する。ディスプレイ１６では、各画素の液晶に印加される電圧によって、光の偏光方向を変換することによって、各画素の入射した光の透過と遮光とを切り替えて画像を生成する。
【００３１】
バックライトユニット３０の、導電層４２（４３）が設けられている領域は、隙間５０の領域に比べて、曲がり難い。上述の実施形態では、導電層４２の一部の導電層４３の一部が、隙間５０のうち発光素子４４と重なる領域５１の、Ｙ方向に位置されている。これにより、導電層４３によって、隙間５０と重なる母線または稜線で基層４０が曲がるのが抑制される。また、バックライトユニット３０が長方形状である場合、短辺に沿った母線または稜線の曲げが、長辺に沿った母線または稜線の曲げよりも生じやすい場合がある。よって、本実施形態の構成は、隙間５０が短辺方向（図６ではＹ方向）に沿って延びている場合により効果的である。
【００３２】
上述の実施形態では、発光素子４４が跨る位置の隙間５０のＹ方向上に設けられた導電層４３を含む導電層４２が、発光素子４４と電気的に接続されている。これにより、発光素子４４に電圧が印加された場合に生じた熱が当該導電層４２を介して導電層４３へ伝達されるので、導電層４３によって放熱性能を向上させることができる。また、図６に示すように、複数の導電層４３および接続部５８の間の絶縁を確保する隙間５０をスリット状（線状、帯状）とし、周縁部および隙間５０を除く部分を導電層４３および接続部５８として構成したので、放熱性がより向上されうる。
【００３３】
＜第１変形例＞
図９は、第１変形例のバックライトユニット１３０の例示的かつ模式的な平面図である。図９に示すように、導電層１４２の間にあけられた隙間１５０は、屈曲されるとともに、発光素子４４とはＸ方向およびＹ方向に離れた位置で、Ｙ方向に沿って延びた区間１５２を有している。バックライトユニット１３０においても、複数の導電層１４２は、厚み方向における発光素子４４と隙間１５０との重なった領域１５１からＹ方向に位置された導電層１４３を含む。導電層１４３は、抑制部の一例である。これにより、外力が基層４０に作用しても、発光素子４４の位置以外、例えば、隙間１５０が形成された位置でも基層４０の曲がりを抑制できる。
【００３４】
＜第２変形例＞
図１０は、第２変形例のバックライトユニット２３０の例示的かつ模式的な平面図である。図１０に示すように、発光素子４４が跨る位置で、導電層２４２の間にあけられた隙間２５０が曲がってもよい。これにより、バックライトユニット２３０においても、複数の導電層２４２は、厚み方向における発光素子４４と隙間２５０との重なった領域２５１から一点鎖線の方向に位置された導電層２４３及び接続部５８を含む。導電層２４３及び接続部５８は、抑制部の一例である。一点鎖線の方向は、第一の方向の一例である。このバックライトユニット２３０では、発光素子４４の＋Ｘ側の端子近傍の表面積と、−Ｘ側の端子近傍の表面積とが異なる。図１０に示す例では、発光素子４４の＋Ｘ側の端子近傍の表面積が、−Ｘ側の端子近傍の表面積よりも大きい。このような場合、発光素子４４の二つの端子の発熱量が異なる場合、発熱量の多い端子を表面積の大きい側の導電層２４２に接続することが好ましい。例えば、発光素子４４のアノード側の端子が、カソード側の端子よりも発熱量が多い場合、図１０に示す例では、Ｙ方向に位置する導電層２４２と連続する導電層２４２である＋Ｘ側の導電層２４２とアノードとが電気的に接続される。このように、バックライトユニット２３０では、発光素子４４の二つの端子のうち発熱量が大きい端子と、より表面積の大きい導電層２４２とを、熱的に接続することができる。よって、二つの端子における温度の差が大きくなり難い。
【００３５】
＜第３変形例＞
図１１は、第３変形例のバックライトユニット３３０の例示的かつ模式的な平面図である。図１１に示すように、発光素子４４と隙間３５０の端部との間に、隙間３５０が直角に屈曲する部分が複数箇所設けられてもよい。バックライトユニット３３０においても、複数の導電層３４２は、厚み方向における発光素子４４と隙間３５０との重なった領域３５１からＹ方向に位置された導電層３４３を含む。導電層３４３は、抑制部の一例である。バックライトユニット３３０の場合、隙間３５０の複数の部分が、同じ方向、例えばＹ方向に延びる。例えば、隙間３５０には、発光素子４４からＸ方向に外れた位置でＹ方向に沿って延びた第一の区間３５０ａ及び第二の区間３５０ｂが設けられている。尚、Ｘ方向は、第二の方向の一例である。この場合、一点鎖線で示すように、Ｙ方向に延びる第一の区間３５０ａ及び第二の区間３５０ｂの複数の隙間３５０は、Ｘ方向に離れた位置であることが好ましい。これにより、当該隙間３５０のＹ方向の位置の導電層３４２が、発光素子４４が設けられている位置以外でも、基層４０の曲りを抑制できる。
【００３６】
＜第４変形例＞
図１２は、第４変形例のバックライトユニット４３０の例示的かつ模式的な平面図である。図１２に示すように、導電層４４２の一部である接続部４５８が、領域４５１のＹ方向の外側に位置された導電層４４３として設けられている。導電層４４３は、抑制部の一例である。従って、バックライトユニット４３０においても、複数の導電層４４２は、厚み方向における発光素子４４と隙間４５０との重なった領域４５１からＹ方向に位置された導電層４４３を含む。導電層４４２の一部である接続部４５９が、領域４５１のＹ方向の内側に位置された導電層４４３として設けられている。これにより、導電層４４２の間にあけられた隙間４５０が延びるＹ方向の両側には、接続部４５８、４５９が設けられる。導電層４４３及び接続部４５８、４５９は、抑制部の一例である。
【００３７】
＜第５変形例＞
図１３は、第５変形例のバックライトユニット５３０の例示的かつ模式的な平面図である。図１３に示すように、バックライトユニット５３０においても、複数の導電層５４２は、厚み方向における発光素子４４と隙間５５０との重なった領域５５１からＹ方向に位置された導電層５４３を含む。導電層５４３は、抑制部の一例である。また、隙間５５０には、発光素子４４からＹ方向と直交するＸ方向に外れた位置でＹ方向に沿って延びた第一の区間及び第二の区間が設けられている。また、一点鎖線で示すように、Ｙ方向に延びる当該区間の隙間５５０は、Ｙ方向に重なって設けられている。これによりＹ方向に沿った母線または稜線を有する曲げモードでは、当該区間の隙間５５０を母線または稜線として基層４０が曲がりやすくなる。即ち、発光素子４４から離れた位置を母線または稜線として基層４０が曲がりやすくなり、発光素子４４が設けられている位置での曲りを抑制できる。
【００３８】
＜第６変形例＞
図１４は、第６変形例のバックライトユニット６３０の例示的かつ模式的な平面図である。図１５は、第６変形例のバックライトユニット６３０の例示的かつ模式的な断面図である。図１４及び図１５に示すように、バックライトユニット６３０は、反射部材６４８を更に有する。反射部材６４８は、膜状かつリング状の部材であって、反射層４８よりも軟性の材料によって構成されている。反射部材６４８は、発光素子４４を取り囲むように、反射層４８上に取り付けられる。すなわち、反射部材６４８の中央部に設けられた開口部６４８ａには、発光素子４４が挿入される。反射部材６４８は、前面が金属材料等の高反射率の材料によって形成されている。反射部材６４８は、粘着材等により貼り付けることによって設けてもよい。反射部材６４８の開口６４８ａの内径は、反射層４８の開口４８ａの内径よりも小さい。これにより、反射部材６４８は、反射層４８の開口４８ａから露出しているレジスト層４６の一部を少なくとも覆う。この結果、反射部材６４８が無い場合に比べて、より光の取り出し効率を向上させることができる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４０】
上述の実施形態を照明等の発光装置に適用する場合、上述の実施形態からディスプレイ１６等を省略した構成としてもよい。例えば、発光装置は、筐体１４と、筐体１４に支持されたライトユニットとを備える。ライトユニットは、可撓性かつ絶縁性の基層４０と、基層４０上に互いに隙間５０をあけて配置された複数の導電層４２と、隙間５０を跨いで二つの導電層４２と電気的に接続された発光素子４４とを有する。隙間５０は、発光素子４４が跨がる位置で第一の方向に延びる。ライトユニットは、発光素子４４と隙間５０との重なった領域から第一の方向に位置されて基層４０の曲りを抑制するよう構成された抑制部を含む。ここで抑制部は、上述した当該重なった領域の第一の方向に位置された導電層４２であってもよく、当該重なった領域の第一の方向に位置された反射層４８であってもよい。
【００４１】
上述した実施形態では、ディスプレイ１６が液晶パネルである例をあげたが、ディスプレイ１６は、有機ＥＬディスプレイ、フレキシブルディスプレイ（例えば、シートディスプレイ）であってもよい。また、基層４０は、リジッドあってもよい。
【００４２】
上述した実施形態では、１枚のバックライトユニット３０を有する表示装置１０の例をあげたが、複数枚のバックライトユニット３０を表示装置１０に設けてもよい。この場合、複数枚のバックライトユニット３０は、上下方向または横方向に一列に配列してもよく、上下方向及び横方向の両方向に配列されたマトリックス状に配置してもよい。
【００４３】
上述した実施形態では、レジスト層４６の前面に反射層４８を設けた例をあげたが、反射層４８は省略してもよい。この場合、光を透過可能な透明色でレジスト層４６を構成して、導電層４３によって光を反射するように構成してもよい。また、レジスト層４６は、反射率の高い材料で構成してもよい。
【００４４】
上述した実施形態では、抑制部の一例として、導電層４３、１４３、２４３、３４３、５４３等をあげたが、他の部材によって、抑制部を構成してもよい。例えば、反射層４８に可撓性として、隙間５０等に当該反射層４８の一部を埋め込むことによって、反射層４８を抑制部としてもよい。
【符号の説明】
【００４５】
１０…表示装置、１４…筐体、１６…ディスプレイ、１７…表示面、３０…バックライトユニット（ライトユニット）、４０…基層、４２…導電層、４３…導電層（抑制部）、４４…発光素子、４８…反射層、５０…隙間、５１…領域、５４…接続部、５６…コネクタ、５８…接続部、１３０…バックライトユニット（ライトユニット）、１４２…導電層、１４３…導電層（抑制部）、１５０…隙間、１５１…領域、２３０…バックライトユニット（ライトユニット）、２４２…導電層、２４３…導電層（抑制部）、２５０…隙間、２５１…領域、３３０…バックライトユニット（ライトユニット）、３４２…導電層、３４３…導電層（抑制部）、３５０…隙間、３５１…領域、４３０…バックライトユニット（ライトユニット）、４４２…導電層、４４３…導電層（抑制部）、４５０…隙間、４５１…領域、４５８…接続部（抑制部）、４５９…接続部（抑制部）、５３０…バックライトユニット（ライトユニット）、５４２…導電層、５４３…導電層（抑制部）、５５０…隙間、５５１…領域、６３０…バックライトユニット（ライトユニット）。
【図１】
2016167034.tif 000003
【図２】
2016167034.tif 000004
【図３】
2016167034.tif 000005
【図４】
2016167034.tif 000006
【図５】
2016167034.tif 000007
【図６】
2016167034.tif 000008
【図７】
2016167034.tif 000009
【図８】
2016167034.tif 000010
【図９】
2016167034.tif 000011
【図１０】
2016167034.tif 000012
【図１１】
2016167034.tif 000013
【図１２】
2016167034.tif 000014
【図１３】
2016167034.tif 000015
【図１４】
2016167034.tif 000016
【図１５】
2016167034.tif 000017